(57)【要約】      （修正有）【課題】汎用の通帳を特定の用途に特定させた通帳を所定数の冊子数だけ束ね、通帳の在庫管理と出荷管理の合理化に適した通帳用帯留を提供する。【解決手段】郵便局を含む金融機関により発行される通帳を当該通帳の種類毎に所定冊子数毎に束ねるための通帳用帯留４であって、当該通帳の種類を示す機械読み取り可能な第１のバーコードの印刷欄１２ａと、通帳帯留によって束ねられた通帳の種類毎の最初の連番を示すバーコードの印刷欄１２ｘと、通帳帯留によって束ねられた通帳の種類毎の最後の連番を示すバーコードの印刷欄１２ｙと、の各印刷欄を少なくとも有し、第１のバーコード１２ａと、最初の連番を示すバーコード１２ｘと、最後の連番を示すバーコード１２ｙとが、当該帯留の表面側において横方向一列に印刷される。【選択図】図４
0003117640.tif 000002
【実用新案登録請求の範囲】
【請求項１】
郵便局を含む金融機関により発行される通帳を当該通帳の種類毎に所定冊子数毎に束ねるための通帳用帯留であって、
当該通帳の種類を示す機械読み取り可能な第１のバーコードの印刷欄と、
前記通帳帯留によって束ねられた前記通帳の種類毎の最初の連番を示すバーコードの印刷欄と、
前記通帳帯留によって束ねられた前記通帳の種類毎の最後の連番を示すバーコードの印刷欄と、の各印刷欄を少なくとも有し、
前記第１のバーコードと、前記最初の連番を示すバーコードと、前記最後の連番を示すバーコードとが、当該帯留の表面側において横方向一列に印刷されたことを特徴とする通帳用帯留。
【請求項２】
前記最初の連番を示すバーコードが表す１０進数文字の第１の数字印字欄と、
前記最後の連番を示すバーコードが表す１０進数文字の第２の数字印字欄と、
の各欄を、さらに有することを特徴とする請求項１に記載の通帳用帯留。
【請求項３】
前記第１の数字印字欄は、前記最初の連番を示すバーコードの上又は下側に、前記第２の数字印字欄は、前記最後の連番を示すバーコードの上又は下側に、夫々隣接配置されたことを特徴とする請求項２に記載の通帳用帯留。
【請求項４】
前記最初の連番を示すバーコードと前記最後の連番を示すバーコードは夫々、６桁の１０進数字を表すことを特徴とする請求項２に記載の通帳用帯留。
【考案の詳細な説明】
【技術分野】
【０００１】
本考案は、郵便局や銀行等の金融機関（以下、適宜「金融機関」という）により発行される通帳を束ねるための通帳帯留に関するものである。
【背景技術】
【０００２】
郵便局や銀行等の金融機関において、顧客が、普通貯金、定額貯金、定期貯金、積立貯金等の各種金融取引の口座を開設した場合には、これらの金融取引の種類毎に異なる通帳が発行される。これらの通帳の冊子は、通常、表紙と裏紙を一体に構成する比較的硬質の台紙が、ＡＴＭや通帳印刷機によってその取引記録が印刷される複数枚の記帳頁を挿むように構成している。
【０００３】
そして、このような各種の通帳には、当該通帳を発行する金融機関名の他に、通帳の種類（金融取引の種類）、発行支店名、店番号、顧客の口座名義及び口座番号等が記載される。
【０００４】
このため、金融機関の多くは、通常、金融取引の種類毎に異なる通帳を個別に大量に印刷し、各支店毎又は複数の支店が所属する地域毎に通帳の種類毎にストックしておく必要があった。
【０００５】
また、郵便局等の一部の金融機関においては、各種の金融取引に共通して使用可能な汎用の通帳を製造して予めストックしておき、必要に応じて当該汎用の通帳毎に、通帳種類と当該通帳種類毎の連番をプリンタを使用して印字することにより、複数種類の通帳を各支店又は各地域毎に個別にストックしなければならない煩雑性を回避するようにしていた。
【考案の開示】
【考案が解決しようとする課題】
【０００６】
しかし、金融取引の種類毎に異なる通帳を個別に大量に印刷し、各支店毎又は複数の支店が所属する地域毎に通帳の種類毎にストックしておくとなると、各通帳の在庫管理が煩雑である。また、一つの支店である種の通帳のストックが底をついてしまうと取引業務に多大な支障が生じてしまうことになるから、通帳の種類毎に、必要以上に多くの通帳をストックして置く必要があり、在庫管理コストが増大化し、業務コストの低減化の阻害要因となっていた。
【０００７】
このため、各種の金融取引に共通して使用可能な汎用の通帳を製造して予めストックし、このような汎用通帳に、通帳種類と当該通帳種類毎の連番とをプリンタを利用して印字することが可能である。
【０００８】
しかし、このように汎用通帳に通帳種類と当該通帳種類毎の連番とが印刷され所定の冊数に束ねられた通帳束は、作業員により目視により管理される必要があり、通帳及び通帳束の在庫管理と各支店への発送は煩雑であった。
【０００９】
このため、本考案は、予め製造された汎用の通帳を特定の用途に特定させた通帳を所定数の冊子数だけ束ね、通帳の在庫管理と出荷管理の合理化に適した通帳用帯留を提供することを目的とする。
【課題を解決するための手段】
【００１０】
上記課題を解決するために、本考案は、郵便局を含む金融機関により発行される通帳を当該通帳の種類毎に所定冊子数毎に束ねるための通帳用帯留であって、当該通帳の種類を示す機械読み取り可能な第１のバーコードの印刷欄と、前記通帳帯留によって束ねられた前記通帳の種類毎の最初の連番を示すバーコードの印刷欄と、前記通帳帯留によって束ねられた前記通帳の種類毎の最後の連番を示すバーコードの印刷欄と、の各印刷欄を少なくとも有し、前記第１のバーコードと、前記最初の連番を示すバーコードと、前記最後の連番を示すバーコードとが、当該帯留の表面側において横方向一列に印刷されたことを特徴とする通帳用帯留を提供するものである。このように当該通帳用帯留上のバーコードを読み取ることにより、ここに束ねられている通帳の種別における連番の範囲を読み取ることができるのである。
【００１１】
ここで、本考案に係る通帳用帯留は、前記最初の連番を示すバーコードによって示される１０進数文字の第１の数字印字欄と、前記最後の連番を示すバーコードによって示される１０進数文字の第２の数字印字欄と、の各欄をさらに有する。これにより、作業員の目視により、当該通帳用帯留により束ねられている通帳の連番の範囲を確認することが可能になるのである。このため、前記第１の数字印字欄は、前記最初の連番を示すバーコードの上又は下側に、前記第２の数字印字欄は、前記最後の連番を示すバーコードの上又は下側に、夫々隣接配置される。ここで、前記最初の連番を示すバーコードと前記最後の連番を示すバーコードは夫々、６桁の１０進数字を示すのである。
【考案の効果】
【００１２】
本考案に係る通帳用帯留は、これによって束ねられた前記通帳の種類毎の最初の連番を示すバーコードの印刷欄と、前記通帳帯留によって束ねられた前記通帳の種類毎の最後の連番を示すバーコードの印刷欄と、の各欄を少なくとも有するので、当該通帳用帯留上のバーコードを読み取ることにより、ここに束ねられている通帳の種別における連番の範囲を読み取ることができるので、通帳の在庫管理と出荷管理の合理化に大いに寄与するのである。
【考案を実施するための最良の形態】
【００１３】
以下、本考案に係る通帳用帯留の望ましい実施形態の詳細について説明するが最初に、図１乃至３を参照しつつ、本通帳用帯留により所定の冊子数だけ束ねられる通帳に関する説明を行う。
【００１４】
図１に示すように、本考案に係る通帳用帯留４により所定の冊子数毎に束ねられる通帳１は、通帳の種類を示す機械読み取り可能な第１のバーコード１２ａの印刷欄と、前記第１のバーコード１２ａと横並びに配設され、前記第１のバーコード１２ａの読み取りと同時に読み取られる前記通帳の種類毎の連番を示す第２のバーコード１２ｂの印刷欄と、前記第２のバーコード１２ｂによって示される１０進数文字１２ｃの数字印字欄と、の各欄が印刷されている。
【００１５】
そして、通帳１は、図示は省略している表紙及びＡＴＭや通帳印字装置によってその取引記録が印刷される記帳部を備えている。
【００１６】
通帳１を構成する素材は、紙または合成樹脂とすることが可能である。バーコード１２ａには、通帳の種類を示す通帳コードに対応するバーコード（第１のバーコード）がＩＪＰ（インクジェットプリンタ）により印刷されている。このバーコードは、機械読取可能である。尚、少なくとも第２のバーコード１２ｂと前記数字印字１２ｃは、通帳１の冊子としての製造後に印刷される。第１のバーコード１２ａは、冊子としての製造段階で印刷しても、若しくは第２のバーコード１２ｂと前記数字印字１２ｃと一緒に印刷しても良い。
【００１７】
バーコード１２ｂは、通帳の種類毎の連番の通帳番号に対応するバーコード（第２のバーコード）がＩＪＰにより印刷されている。このバーコードは、機械読取可能であるものとする。数字桁１２ｃは、バーコード１２ｂに示された通帳番号（連番）に対応する文字情報（数字）がＩＪＰにより印刷されている。通帳の大きさ（寸法）は、この例では、縦方向の長さを８７〔ｍｍ〕、横方向の長さを１４０〔ｍｍ〕としている。
【００１８】
また、バーコード１２ａ、バーコード１２ｂ、数字桁１２ｃは、横１列に並べ、かつバーコード１２ａとバーコード１２ｂとの間隔、及びバーコード１２ｂと数字桁１２ｃとの間隔は、いずれも５〔ｍｍ〕としている。バーコード１２ａとバーコード１２ｂが横一列に配置されていることにより、これを読み取るバーコード読取装置は、１本のスキャニングビームでこれら二つのバーコード１２ａ、１２ｂを同時に読み取ることを可能としている。
【００１９】
さらに、バーコード１２ａ、バーコード１２ｂ、数字桁１２ｃの列は、全体を目立たなくするために、裏表紙１１の下部または上部に印刷することが好ましい。
【００２０】
以下、通帳１を作成する装置の１例について説明する。
【００２１】
図２は、通帳印刷装置の機械部分の構成図である。図２に示すように、通帳印刷装置２は、印刷前の通帳１を積載する通帳載置台２１と、通帳１を搬送する通帳搬送台２２と、印刷が不良となった通帳１を収納する不良品スタッカ２３と、ＩＪＰ（インクジェットプリンタ）２４と、バーコードリーダ２５と、通番チェックカメラ２６と、を備える。ここで、通番チェックカメラ２６はオプショナルな構成要素であり、省略可能である。尚、ＩＪＰ（インクジェットプリンタ）２４は、他の印字方式のプリンタとしても良い。
【００２２】
通帳印刷装置２では、通帳載置台２１に積載された通帳１（但し、図２では裏面の印刷を透視したものを示している）を１冊ずつ取り出して通帳搬送台２２で搬送し、この間に、ＩＪＰ２４により、バーコード１２ａ、バーコード１２ｂ、及び数字桁１２ｃを印刷する。その後、この印刷された情報のうち、バーコード１２ａ及びバーコード１２ｂが、実際に機械読取可能であるか否かをチェックするために、バーコード１２ａ及びバーコード１２ｂをバーコードリーダ２５で読み取る。さらに、この印刷された情報のうち、数字桁１２ｃを通番チェックカメラ２６で読み取る（読み取った情報に基づく具体的なチェック方法については、図３を参照して後述する）。
【００２３】
図２において、通帳載置台２１は、自動的に切り替えられる。すなわち、一つの通帳載置台２１内のストッカー内に通帳がなくなった場合に、他の通帳載置台２１に自動的に切り替わるのである。
【００２４】
ところで、バーコードの読み取り不良のもの、バーコード１２ａ、１２ｂ及び連番数字１２ｃと機械読み取りの結果が不一致の通帳１は、不良品スタッカ２３において回収される。不良品スタッカ２３は、ホストＣＰＵ３２からの指令（バーコード１２ａ、バーコード１２ｂ、及び数字桁１２ｃの印刷が不良である場合の指令）を受けて、通帳１を収納する。この時、通帳１の並び順において、不良品が有った位置には合紙を挿入して、後で良品を挿入できるようにする。ＩＪＰ２４は、通帳１が通帳搬送台２２上で搬送される速度に応じて印刷できる機能を備えている。
【００２５】
図３は、通帳印刷装置の電気回路の構成例（ブロック図）である。図３において、ホストＣＰＵ３２は、通帳搬送台２２上の通帳１に対する印刷指令をＩＪＰ２４に送出する。この印刷指令には、バーコード１２ａ、バーコード１２ｂ、及び数字桁１２ｃの印刷指令が含まれている。その後、印刷されたバーコード１２ａ及びバーコード１２ｂを、バーコードリーダ２５を介して読み取り、この読み取り結果を、前記印刷指令に含まれるバーコード情報と比較照合する。両者が一致しない場合は、当該通帳１を不良品スタッカ２３に収納する指令を送出する。
【００２６】
さらに、連番チェッカ３３は、パターン認識ソフトを備えると共に、印刷された数字桁１２ｃの読み取り結果であるイメージデータを、連番チェックカメラ２６を介して取得し、前記パターン認識ソフトを起動して、これをデシマル（１０進数）のコード化情報（数字情報）に変換した後、前記印刷指令に含まれる数字桁情報と比較照合する。両者が一致しない場合は、当該通帳１を不良品スタッカ２３に収納する指令を送出する。ここで、連番チェッカ３３の設置を省略し、前記チェック処理をホストＣＰＵ３２で代行することができる。
【００２７】
以下、本考案に係る通帳帯留の実施の形態を説明する。
図４は、図１に示した通帳を所定の冊子枚数束ねる本考案に係る通帳帯留の例を示し、図４（ａ）は本考案に係る通帳用帯留４の印刷部４２の例を示し、図４（ｂ）は本通帳帯留４により所定の冊子枚数束ねられた通帳の状態を示す。
【００２８】
図４（ａ）に示すように、バーコード印刷部４２に印刷するバーコードは、当該通帳の種類を示す機械読み取り可能な第１のバーコードの印刷欄を含み、本帯留４により結束される通帳の最初のものの通帳番号（連番）と、最後のものの通帳番号（連番）とを対にして示すようにしている。
【００２９】
すなわち、本通帳用帯留４は、通帳束４１の種類を示す機械読み取り可能な第１のバーコードの印刷欄１２ａと、通帳帯留４によって束ねられた通帳束４１の種類毎の最初の連番を示すバーコードの印刷欄１２ｘと、前記通帳帯留によって束ねられた前記通帳の種類毎の最後の連番を示すバーコードの印刷欄１２ｙとの各印刷欄を少なくとも有し、第１のバーコードと、最初の連番を示すバーコードと、最後の連番を示すバーコードとが、本通帳用帯留４の表面側において横方向一列に印刷されている。そして、本通帳用帯留４上のバーコードを読み取ることにより、ここに束ねられている通帳の種別における連番の範囲を読み取ることができるのである。
【００３０】
さらに、前記最初の連番を示すバーコード１２ｘによって示される１０進数文字の第１の数字印字欄と、前記最後の連番を示すバーコード１２ｙによって示される１０進数文字の第２の数字印字欄と、の各欄を有するので、作業員の目視により、当該通帳用帯留により束ねられている通帳の連番の範囲を確認することが可能になるのである。このため、前記第１の数字印字欄は、前記最初の連番を示すバーコードの上又は下側に、前記第２の数字印字欄は、前記最後の連番を示すバーコードの上又は下側に、夫々隣接配置される。
【００３１】
そして、図４（ｂ）に示すように、図４（ａ）に示す印字部４２が通帳束の上面に配置されるようにすることにより、機械による読み取りと共に、作業員による目視による読み取りを可能にするのである。ところで、通帳帯留４を構成する素材は、紙または合成樹脂とすることが可能である。
【００３２】
以下、本通帳帯留４にバーコードを印刷する装置の１例について説明する。
【００３３】
図５は、本考案に係る通帳帯留を通帳に装着する方法を説明する図である。
通帳１（図２とは裏面の印刷部分の位置を違えている）は、例えば５０冊ずつ積み重ねられて搬送されるが、この内ある通帳が、図１に示した不良品スタッカ２３に収納されたされた場合、当該不良に係る通帳の位置には合紙５１が置かれる。これにより、後の工程で、この合紙５１の部分を、別途に印刷されている通帳１の良品に置き換えることが可能となり、良品のみが５０冊ずつ積み重ねられた通帳１の背山部分を通帳帯留４を用いて結束することができる。尚、通帳帯留４は、通帳１の最初のものの表紙に印刷されているバーコード１ｂ（図１参照）を隠さない位置に装着して通帳１を結束するものとする。
【００３４】
図６は、本考案の通帳帯留を通帳に装着する方法を説明するための他の説明図である。図５において示した通帳積載装置５によって良品ばかりが５０冊ずつ積載されて成る通帳１の束には、事務作業員によって手動で通帳帯留４が装着され、裏面を上にして搬送台に乗せられ、再び搬送台によって搬送される。この搬送の間に、帯印刷装置６の天面バーコードリーダ６１が、通帳束４１の最後のものの裏面に印刷されているバーコード１ｂ（図１参照）を読み取り、ホストＣＰＵ（図示は省略）に送出する。
【００３５】
ホストＣＰＵは、この情報を基に、結束されている通帳の最初のものの通帳番号（連番）と最後のものの通帳番号（連番）との印刷指令、若しくは、結束されている通帳の最初のものの通帳番号（連番）と結束されている通帳の冊数との印刷指令を帯ＩＪＰ６２に送出し、帯ＩＪＰ６２が、この情報をバーコード印刷部４２（図４）に印刷する。その後、帯側面バーコードリーダ６３が、この印刷されたバーコードを読み取り、ホストＣＰＵに送出する。ホストＣＰＵでは、前述の印刷指令に含まれるバーコードと照合して、前記バーコード印刷部４２に印刷されたバーコードが正しく読み取ることができるバーコードか否かをチェックできるのである。
【００３６】
以上詳しく説明したように、本考案に係る通帳用帯留４は、通帳１の種類を示す機械読み取り可能な第１のバーコード１２ａの印刷欄と、当該通帳帯留４によって束ねられた通帳１の種類毎の最初の連番を示すバーコード１２ｘの印刷欄と、当該通帳帯留４によって束ねられた通帳1の種類毎の最後の連番を示すバーコード１２ｙの印刷欄と、の各欄を少なくとも有することにより、通帳用帯留４上のバーコードを読み取ることにより、ここに束ねられている通帳の種別における連番の範囲を読み取ることを可能にしたのである。
【産業上の利用可能性】
【００３７】
本考案は、汎用の通帳を特定の用途に特定させた通帳を所定数の冊子数だけ束ね、通帳の在庫管理と出荷管理の合理化に適した通帳用帯留に関するものであって、産業上の利用可能性を有する。
【図面の簡単な説明】
【００３８】
【図１】本考案に係る通帳帯留により束ねられる通帳の実施形態の例を示す。
【図２】本考案に係る通帳帯留により束ねられる通帳を作成するための通帳印刷装置の機械部分の１構成例を示す。
【図３】図２に示した通帳印刷装置の電気回路の１構成例を示す。
【図４】本考案に係る通帳帯留の実施形態の例を示す。
【図５】本考案の通帳帯留を通帳に装着する方法を説明するための説明図である。
【図６】本考案の通帳帯留を通帳に装着する方法を説明するための他の説明図である。
【符号の説明】
【００３９】
１：通帳
２：通帳印刷装置
４：通帳帯留
５：通帳積載装置
６：帯印刷装置
１１：裏表紙
１２ａ：バーコード（通帳の種類を示すコード）
１２ｂ：バーコード（通帳番号を示す連番）
１２ｃ：通帳番号（数字）
２１：通帳載置台
２２：通帳搬送台
２３：不良品スタッカ
２４：ＩＪＰ（インクジェットプリンタ）
２５：バーコードリーダ
２６：通番チェックカメラ
３２：ホストＣＰＵ
３３：連番チェッカ
４１：通帳束（良品のみ）
４２：バーコード印刷部
５１：合紙
５２：通帳束（合紙挿入有り）
６１：天面バーコードリーダ
６２：帯ＩＪＰ
６３：帯側面バーコードリーダ
【図１】
0003117640.tif 000003
【図２】
0003117640.tif 000004
【図３】
0003117640.tif 000005
【図４】
0003117640.tif 000006
【図５】
0003117640.tif 000007
【図６】
0003117640.tif 000008